(57)【要約】【課題】自動で媒体を処理することが可能な媒体処理装置を提供する。【解決手段】第１の部分と第２の部分とが結合してなる紙状媒体が１枚又は複数枚挿入される挿入部と、前記紙状媒体を搬送する搬送部と、搬送される前記紙状媒体の画像を撮像する撮像部と、前記紙状媒体における印字又は押印する位置の情報を含むフォーマット情報を照会する情報照会部と、該当する前記フォーマット情報が照会できない場合に、前記撮像部によって撮像された前記紙状媒体の画像を用いて前記フォーマット情報を生成するフォーマット情報生成部と、前記フォーマット情報に基づいて、前記第１の部分又は前記第２の部分の少なくとも一方に印字又は押印する記録部と、前記搬送部を制御する制御部とを備える、媒体処理装置を提供する。【選択図】図３
2020035319.tif 000002
【特許請求の範囲】
【請求項１】
第１の部分と第２の部分とが結合してなる紙状媒体が１枚又は複数枚挿入される挿入部と、
前記紙状媒体を搬送する搬送部と、
搬送される前記紙状媒体の画像を撮像する撮像部と、
前記紙状媒体における印字又は押印する位置の情報を含むフォーマット情報を照会する情報照会部と、
該当する前記フォーマット情報が照会できない場合に、前記撮像部によって撮像された前記紙状媒体の画像を用いて前記フォーマット情報を生成するフォーマット情報生成部と、
前記フォーマット情報に基づいて、前記第１の部分又は前記第２の部分の少なくとも一方に印字又は押印する記録部と、
前記搬送部を制御する制御部と、
を備える、
媒体処理装置。
【請求項２】
前記情報照会部は、前記紙状媒体の画像に基づいて、前記フォーマット情報を照会する、請求項１に記載の媒体処理装置。
【請求項３】
前記フォーマット情報に基づいて、前記第１の部分と前記第２の部分とを切り離すカッタ部と、
切り離された前記第２の部分を回収する回収部と、
をさらに備え、
前記フォーマット情報は、前記紙状媒体における切り離し位置の情報を含む、
請求項１又は２に記載の媒体処理装置。
【請求項４】
前記紙状媒体に印字又は印刷された取引情報に基づき、取引処理を実行する取引処理部をさらに備える、請求項１〜３のいずれか１項に記載の媒体処理装置。
【請求項５】
前記取引情報は、前記紙状媒体に印刷されたデータコード又はデータ列に基づいて取得される、請求項４に記載の媒体処理装置。
【請求項６】
前記撮像部は、
前記情報照会部が前記フォーマット情報を照会する際に用いる前記紙状媒体の画像を取得する第１の画像取得と、
前記取引処理部が前記取引情報を抽出する際に用いる前記紙状媒体の画像を取得する第２の画像取得と、
前記フォーマット情報生成部が前記フォーマット情報を生成する際に用いる前記紙状媒体の画像を取得する第３の画像取得と、
を実行し、
前記第１の画像取得による画像の解像度は、前記第２又は第３の画像取得による画像の解像度に比べて低い、
請求項４又は５に記載の媒体処理装置。
【請求項７】
前記第１及び第２の画像取得は、同時に実行される、請求項６に記載の媒体処理装置。
【請求項８】
前記フォーマット情報を照会する際に用いる前記紙状媒体のカラー画像を合成するために前記撮像部によって取得された各画素の複数の色ごとの画素信号を、黒色の画素信号に変換して並べる変えることにより、前記取引情報を抽出する際に用いる前記紙状媒体のモノクロ画像を取得する画像変換部をさらに備える、請求項７に記載の媒体処理装置。
【請求項９】
前記第３の画像取得における前記紙状媒体の搬送方向は、前記第１及び第２の画像取得における前記紙状媒体の搬送方向に対して逆方向である、請求項８に記載の媒体処理装置。
【請求項１０】
前記紙状媒体を一時的に保留する、１個又は複数個の保留部をさらに備え、
前記第３の画像取得は、前記保留部に格納された前記紙状媒体を前記挿入部方向に搬送する際に実行される、
請求項９に記載の媒体処理装置。
【請求項１１】
前記第２の画像取得において、前記撮像部は、前記第１の画像取得による画像に基づいて、前記紙状媒体の一部の画像を取得する、請求項６に記載の媒体処理装置。
【請求項１２】
前記第３の画像取得における前記紙状媒体の搬送速度は、前記第１の画像取得における前記紙状媒体の搬送速度に比べて遅い、請求項１１に記載の媒体処理装置。
【請求項１３】
前記第３の画像取得は、前記取引処理部による前記取引処理と同時に実行される、請求項６に記載の媒体処理装置。
【発明の詳細な説明】
【技術分野】
【０００１】
本発明は、媒体処理装置に関する。
【背景技術】
【０００２】
コンビニエンスストアの店舗や郵便局等においては、通信販売での購入代金や公共料金の収納等の収納代行業務を、業者や公共事業者等から送付された払込票を用いて行うことができる。例えば、このような払込票を処理する装置としては、下記特許文献１に開示される払込票処理装置を挙げることができる。
【先行技術文献】
【特許文献】
【０００３】
【特許文献１】特開２００８−２７６４３２号公報
【発明の概要】
【発明が解決しようとする課題】
【０００４】
しかしながら、上述の店舗等で用いられる払込票（媒体）は、大きさ、記載形式、レイアウト等の形態（フォーマット）が統一化されていないことから、払込票の形態によっては、上述の払込票処理装置で取り扱うことができない場合がある。従って、コンビニエンスストア等の店舗においては、様々な形態を持つ払込票のすべてを払込票処理装置で受け付けることができず、店員等によって払込票に係る収納代行業務を行うこととなる。そのため、店員の払込票処理にかかる作業を軽減するために払込票処理装置を導入しても、導入効果があげられない、という課題があった。
【０００５】
本発明は、上記状況に鑑みてなされたものであり、本発明の目的とするところは、媒体の処理を自動で行うことが可能な、新規且つ改良された媒体処理装置を提供することにある。
【課題を解決するための手段】
【０００６】
上記課題を解決するために、第１の部分と第２の部分とが結合してなる紙状媒体が１枚又は複数枚挿入される挿入部と、前記紙状媒体を搬送する搬送部と、搬送される前記紙状媒体の画像を撮像する撮像部と、前記紙状媒体における印字又は押印する位置の情報を含むフォーマット情報を照会する情報照会部と、該当する前記フォーマット情報が照会できない場合に、前記撮像部によって撮像された前記紙状媒体の画像を用いて前記フォーマット情報を生成するフォーマット情報生成部と、前記フォーマット情報に基づいて、前記第１の部分又は前記第２の部分の少なくとも一方に印字又は押印する記録部と、前記搬送部を制御する制御部と、を備える、媒体処理装置を提供することにより、未登録の帳票が払込票処理機に挿入された場合でも、それを未登録であることを識別し、新規フォーマットとして登録して取引を行うことができる。
【０００７】
前記情報照会部は、前記紙状媒体の画像に基づいて、前記フォーマット情報を照会してもよい。
【０００８】
前記媒体処理装置は、前記フォーマット情報に基づいて、前記第１の部分と前記第２の部分とを切り離すカッタ部と、切り離された前記第２の部分を回収する回収部と、をさらに備え、前記フォーマット情報は、前記紙状媒体における切り離し位置の情報を含んでもよい。
【０００９】
前記媒体処理装置は、前記紙状媒体に印字又は印刷された取引情報に基づき、取引処理を実行する取引処理部をさらに備えてもよい。
【００１０】
前記取引情報は、前記紙状媒体に印刷されたデータコード又はデータ列に基づいて取得されてもよい。
【００１１】
前記撮像部は、前記情報照会部が前記フォーマット情報を照会する際に用いる前記紙状媒体の画像を取得する第１の画像取得と、前記取引処理部が前記取引情報を抽出する際に用いる前記紙状媒体の画像を取得する第２の画像取得と、前記フォーマット情報生成部が前記フォーマット情報を生成する際に用いる前記紙状媒体の画像を取得する第３の画像取得と、を実行し、前記第１の画像取得による画像の解像度は、前記第２又は第３の画像取得による画像の解像度に比べて低くてもよい。
【００１２】
前記第１及び第２の画像取得は、同時に実行されてもよい。
【００１３】
前記媒体処理装置は、前記フォーマット情報を照会する際に用いる前記紙状媒体のカラー画像を合成するために前記撮像部によって取得された各画素の複数の色ごとの画素信号を、黒色の画素信号に変換して並べる変えることにより、前記取引情報を抽出する際に用いる前記紙状媒体のモノクロ画像を取得する画像変換部をさらに備えてもよい。
【００１４】
前記第３の画像取得における前記紙状媒体の搬送方向は、前記第１及び第２の画像取得における前記紙状媒体の搬送方向に対して逆方向であってもよい。
【００１５】
前記媒体処理装置は、前記紙状媒体を一時的に保留する、１個又は複数個の保留部をさらに備え、前記第３の画像取得は、前記保留部に格納された前記紙状媒体を前記挿入部方向に搬送する際に実行されてもよい。
【００１６】
前記第２の画像取得において、前記撮像部は、前記第１の画像取得による画像に基づいて、前記紙状媒体の一部の画像を取得してもよい。
【００１７】
前記第３の画像取得における前記紙状媒体の搬送速度は、前記第１の画像取得における前記紙状媒体の搬送速度に比べて遅くてもよい。
【００１８】
前記第３の画像取得は、前記取引処理部による前記取引処理と同時に実行されてもよい。
【発明の効果】
【００１９】
以上説明したように本発明によれば、自動で払込票等の媒体を受付け、登録済み帳票かどうかを判定し、未登録帳票の場合には登録処理を行って未登録帳票を処理することが可能な、媒体処理装置を提供することができる。
【図面の簡単な説明】
【００２０】
【図１】本発明の第１の実施形態に係る払込票処理システム１の構成例を説明する説明図である。
【図２】同実施形態において取り扱われる払込票８００の一例を説明するための説明図である。
【図３】同実施形態に係る払込票処理装置１０の機能ブロック図である。
【図４】同実施形態に係る払込票処理装置１０の機構部１２０の内部構成を模式的に示した説明図である。
【図５】同実施形態に係るスキャナ部１２６の詳細を説明するための模式図である。
【図６】同実施形態に係るＰＯＳ端末３０の機能ブロック図である。
【図７】同実施形態に係る収納代行業務の一例を示すシーケンス図（その１）である。
【図８】同実施形態に係る払込票処理装置１０内における払込票８００の動きを模式的に示した説明図（その１）である。
【図９】同実施形態に係る払込票処理装置１０内における払込票８００の動きを模式的に示した説明図（その２）である。
【図１０】同実施形態に係る払込票処理装置１０内における払込票８００の動きを模式的に示した説明図（その３）である。
【図１１】同実施形態に係る払込票処理装置１０内における払込票８００の動きを模式的に示した説明図（その４）である。
【図１２】同実施形態に係る払込票処理装置１０内における払込票８００の動きを模式的に示した説明図（その５）である。
【図１３】同実施形態に係る払込票処理装置１０内における払込票８００の動きを模式的に示した説明図（その６）である。
【図１４】同実施形態に係る払込票処理装置１０内における払込票８００の動きを模式的に示した説明図（その７）である。
【図１５】同実施形態に係る収納代行業務の一例を示すシーケンス図（その２）である。
【図１６】同実施形態における表示画面７００の一例を示す説明図である。
【図１７】本発明の第３の実施形態に係る収納代行業務の一例を示すフローチャートである。
【図１８】本発明の第４の実施形態に係る払込票処理装置１０ａの機能ブロック図である。
【図１９】本発明の第５の実施形態に係る収納代行業務の一例を示すフローチャートである。
【図２０】図１９のステップＳ４０１における画像取得の一例を示すフローチャート（その１）である。
【図２１】同実施形態における画像取得の一例を説明するための説明図（その１）である。
【図２２】同実施形態における画像取得の一例を説明するための説明図（その２）である。
【図２３】同実施形態における画像取得の一例を説明するための説明図（その３）である。
【図２４】本発明の第５の実施形態におけるタイミングパターン９２０の一例を示す説明図である。
【図２５】図１９のステップＳ４０１における画像取得の一例を示すフローチャート（その２）である。
【図２６】従来の払込票８００の処理方法を説明するためのフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書および図面において、実質的に同一又は類似の構成要素については、同一の符号の後に異なるアルファベットを付して区別する場合がある。ただし、類似する構成要素の各々を特に区別する必要がない場合、同一符号のみを付する。
【００２３】
さらに、以下の説明で参照される図は、本発明の実施形態の説明とその理解を促すための図であり、わかりやすくするために、図中に示される形状や寸法、比などは実際と異なる場合がある。さらに、図中に示される装置等は、以下の説明と公知の技術を参酌して適宜、設計変更することができる。
【００２４】
また、以下の説明においては、「副走査方向」とは、払込票が搬送される方向を意味し、「主走査方向」とは、上記副走査方向と直角に交わる方向を意味する。
【００２５】
さらに、以下の説明においては、「解像度」とは、取得しようとする画像を構成する単位ユニットの細かさをいい、一般的には１インチをいくつの単位ユニットに分けているかを数字によって示すことができる（ｄｏｔ  ｐｅｒ  ｉｎｃｈ：ｄｐｉ）。従って、１つの画像を、解像度を構成する単位で分割した場合には、複数の当該単位ユニットが主走査方向に一列に並んだものが１ラインに相当する。
【００２６】
＜＜本発明の実施形態をなすに至った経緯＞＞
次に、本発明の実施形態の説明に先立ち、本発明者が本発明の実施形態をなすに至った経緯について、図２６を参照して説明する。図２６は、従来の払込票８００の処理方法を説明するためのフローチャートである。
【００２７】
先に説明したように、コンビニエンスストアの店舗や郵便局等においては、通信販売での購入代金や公共料金の収納等の収納代行業務を、業者や公共事業者等から送付された払込票８００（図２  参照）を用いて行うことができる。現在、このように使用される払込票８００には、ガイドラインがあるものの、幅や長さ、記載形式、レイアウト等の形態（フォーマット）が統一化されていない。言い換えると、図２に示すような形態以外にも、様々な形態を持つ各種の払込票８００が存在する。
【００２８】
そこで、様々な形態の払込票８００を取り扱うべく、コンビニエンスストアの店舗や郵便局等においては、自動機ではなく、店員等により収納代行業務が行われることとなる。詳細には、例えば、図２６に示すように、顧客が払込票８００を店員に手渡す（ステップＳ９０１）。そして、払込票８００を受け取った店員は、払込票８００に一次元（例えば、バーコード）又は二次元コード（例えば、ＱＲコード（登録商標））等のデータコードが印字されている場合には、カウンタ等に設置されるＰＯＳ（Ｐｏｉｎｔ  Ｏｆ  Ｓａｌｅｓ）端末のデータコードスキャナを用いて払込票８００に印字されたデータコードを読み取る（ステップＳ９０２）。次に、顧客は、上記ＰＯＳ端末によって表示された代金を支払い（ステップＳ９０３）、店員が、顧客から代金を受け取る（ステップＳ９０４）。さらに、代金等を確認した店員は、顧客から代金を受け取ったことを証明するために、払込票８００に領収印を押印し（ステップＳ９０６）、払込票８００の一部（受領証８０８  図２  参照）を切り離し（ステップＳ９０８）、切り離した受領証８０８、レシート、釣銭等を顧客へ返却する（ステップＳ９１０）。そして、最後に、顧客は、店員から受領証等８０８を受け取る（ステップＳ９１１）。
【００２９】
このように、データコードが印字されている払込票８００では、代金の入力等の一部の作業を装置によって自動的に行うことができるものの、領収印の押印や受領証８０８の切り離し等は自動的に行うことはできていない。すなわち、収納代行業務のほとんどは人手によって行われることが一般的である。しかしながら、収納代行業務を人手によって行うことは、図２６に示されるように、収納代行業務にかかる時間が長くなることを避けることが難しく、例えば、他の顧客を長い時間待たせてしまうこととなる。
【００３０】
このような状況において、先に説明したように、従来から、所定の形態を持つ払込票８００のみに対して、収納代行業務を行うことができる払込票処理装置は存在するものの、様々な形態を持つ払込票８００に対して収納代行業務を行うことができる払込票処理装置は存在していなかった。詳細には、払込票処理装置は、様々な形態を持つ払込票８００における領収印の押印位置や切り離し位置の情報（以下の説明においてはフォーマット情報と呼ぶ）を事前に把握することができれば、自動で収納代行業務を行うことが可能となる。そこで、事前に、各払込票８００のフォーマットの情報が格納されたデータベースを構築し、払込票処理装置が当該データベースを利用して自動で収納代行業務を行うことが考えられる。しかしながら、格納すべきフォーマット情報の量は膨大であり、上記データベースの構築には多くの手間がかかることから、現実的ではない。従って、様々な形態を持つ払込票８００に対して収納代行業務を行うことができる払込票処理装置はこれまで存在していなかった。
【００３１】
そこで、本発明者は、上記状況を鑑みて、本発明の実施形態に係る払込票処理装置１０を創作するに至った。本発明者が創作した本発明の実施形態によれば、様々な形態を持つ払込票８００を用いた収納代行業務処理を自動で行うことが可能な払込票処理装置１０を提供することができる。以下、このような本発明の実施形態の詳細を順次説明する。
【００３２】
＜＜第１の実施形態＞＞
＜払込票処理システム１の構成＞
まず、本発明の第１の実施形態に係る払込票処理システム１の構成について説明する。図１は、本発明の実施形態に係る払込票処理システム１の構成例を説明する説明図である。図１に示すように、当該払込票処理システム１は、払込票処理装置（媒体処理装置）１０、センタサーバ２０、ＰＯＳ端末３０及び通信網６０を含む。以下に、払込票処理システム１に含まれる各装置等の概略を説明する。
【００３３】
（払込票処理装置１０）
払込票処理装置１０は、払込票８００（図２  参照）に関する各種の処理を行う装置であり、コンビニエンスストア等の店舗に設置され、店舗等を訪れた顧客等によって操作される。具体的には、払込票処理装置１０は、挿入された払込票８００に印字されているデータコード又は文字や数字からなるデータ列の読み取り、読み取った情報の解析、当該払込票８００に係る代金等の入金処理、当該払込票８００に対する領収印の印字又は押印（形成）、及び、受領証８０８（図２  参照）の排出等の収納代行業務を実行することができる。なお、当該払込票処理装置１０の詳細構成については後述する。
【００３４】
（センタサーバ２０）
センタサーバ２０は、払込票８００に係る収納代行業務に関する情報を管理する装置である。センタサーバ２０は、収納代行業務に関する情報を、後述する通信網６０を介して払込票処理装置１０との間で送受信することが可能である。例えば、センタサーバ２０は、払込票処理装置１０において収納代行業務が行われた払込票８００に関する情報を払込票処理装置１０から受信することができる。
【００３５】
（ＰＯＳ端末３０）
ＰＯＳ端末３０は、店舗内のレジカウンタに設置され、主に、客の購入商品から商品識別コードを読み取り、読み取ったコードに基づいて上記購入商品の情報を取得し、購入商品の金額を表示する。さらに、ＰＯＳ端末３０は、顧客との間での購入商品の精算(現金の入出金)を行うこともできる。なお、ＰＯＳ端末３０の詳細構成については後述する。また、本実施形態においては、ＰＯＳ端末３０の利用に限定されるものではなく、例えば、表示部、操作部、通信部等を有するパーソナルコンピュータ（図示省略）であってもよく、特に限定されるものではない。
【００３６】
（通信網６０）
通信網６０は、通信網６０に接続されている装置（例えば、払込票処理装置１０及びセンタサーバ２０）から送信される情報の有線、又は無線の伝送路である。例えば、通信網６０は、電話回線網、インターネット、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等を含んでもよい。また、通信網６０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網を含んでもよい。
【００３７】
＜払込票８００の構成例＞
次に、本実施形態に係る払込票処理システム１に含まれる主な装置の詳細構成を説明する前に、払込票処理装置１０等で取り扱われる払込票８００（紙状媒体）の構成の一例について、図２を用いて説明する。図２は、本実施形態において取り扱われる払込票８００の一例を説明するための説明図である。
【００３８】
払込票８００は、コンビニエンスストア、金融機関等の店舗等において、税金、公共料金、通信販売での購入代金等の納付を行うため、事業者等から納付者である顧客へ送付される収納票である。具体的には、顧客が、当該払込票８００をコンビニエンスストア等の店舗に持参し、例えば、本実施形態に係る払込票処理装置１０に挿入することにより、当該払込票処理装置１０によって収納代行業務が行われることとなる。
【００３９】
図２に示すように、払込票８００は、払込取扱票８０４、店舗控え８０６及び受領証８０８からなる。顧客が払込票８００を店舗に持ち込む際には、払込票８００は、払込取扱票８０４及び店舗控え８０６（第２の部分）と、受領証８０８（第１の部分）とが１つに結合した形態を有する。また、払込取扱票８０４、店舗控え８０６及び受領証８０８の互いの境目には、容易にこれらを切り離すことができるようにするミシン目（図示省略）が設けられていてもよい。本実施形態に係る払込票処理装置１０による収納代行業務が完了した際には、払込取扱票８０４、店舗控え８０６及び受領証８０８は、領収印が押され、互いに切り離される。そして、当該払込票処理装置１０は、払込取扱票８０４及び店舗控え８０６（第２の部分）から切り離された受領証８０８（第１の部分）を、顧客に返却することとなる。
【００４０】
詳細には、図２に示すように、払込取扱票８０４は、納付先の口座番号や納付金額等の情報の他、領収印領域８１０とデータコード領域８１２とを含む。領収印領域８１０は、領収印が押印又は印字される領域である。また、データコード領域８１２には、例えば、バーコード等の、収納に関する情報を含む１次元又は２次元のデータコードが印刷される。なお、払込取扱票８０４は、本部控えとも呼ばれ、店舗等において当該払込票８００による収納代行業務が行われた後に事業者又は本部に送られる。
【００４１】
店舗控え８０６は、図２に示すように領収印領域８１４を含む。当該領収印領域８１４は領収印が押印又は印字される領域である。
【００４２】
受領証８０８は、図２に示すように、領収印領域８１６を含む。領収印領域８１６は、領収印の押印又は印字のために設けられた領域である。なお、受領証８０８は、お客様控えとも呼ばれ、先に説明したように当該払込票８００に係る収納代行業務が完了した後に顧客に返却される。
【００４３】
なお、以下に説明する本実施形態の払込票処理装置１０は、図２に示すような払込票８００を取り扱うことができる。さらに、本実施形態に係る払込票処理装置１０は、図２に示すような形態以外の他の形態を持つ払込票８００も取り扱うことができる。すなわち、当該払込票処理装置１０が扱うことができる払込票８００は、長方形の紙状媒体であって、少なくとも払込取扱票８０４と、店舗控え８０６及び／又は受領証８０８との２つの部分を持ち、顧客が当該払込票８００を店舗に持ち込む際には、これらが１つにつながった形態を有していればよい。従って、当該払込票８００は、図２に示す払込票８００に対して、幅や長さ等が異なっても、記載形式やレイアウト等が異なっていてもよい。また、本発明の各実施形態は、上述したような払込票８００の取扱いに対する適用に限定されるものではなく、小切手、有価証券、商品券、通帳、チケット等の紙状媒体の取扱いであれば、特に限定されることなく適用することができる。
【００４４】
＜払込票処理装置１０の詳細構成＞
まずは、本実施形態に係る払込票処理装置１０の詳細構成について、図３及び図４を参照して説明する。図３は、本実施形態に係る払込票処理装置１０の機能ブロック図であり、図４は、本実施形態に係る払込票処理装置１０の機構部１２０の内部構成を模式的に示した説明図である。
【００４５】
図３に示すように、本実施形態に係る払込票処理装置１０は、制御部１００と、電源部１０２と、記憶部１０４と、通信部１０６と、紙幣処理部１０８と、硬貨処理部１１０と、操作表示部１１２と、機構部１２０とを主に有する。以下に、当該払込票処理装置１０の各機能ブロックの詳細について順次説明する。
【００４６】
（制御部１００）
制御部１００は、払込票処理装置１０の内部に設けられ、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及び、ＲＡＭ（Ｒａｎｄｏｍ  Ａｃｃｅｓｓ  Ｍｅｍｏｒｙ）等を用いて、払込票処理装置１０の動作を全般的に制御する。また、制御部１００は、正確な時刻や日付を把握する時計機構（図示省略）を内蔵してもよい。詳細には、制御部１００は、後述する搬送部１２４や検知部１３６等を制御して、払込票８００を内部へ搬送したり、払込票８００の搬送状況を確認したりすることができる。また、制御部１００は、後述する紙幣処理部１０８及び硬貨処理部１１０を制御して、顧客との間で現金取引処理（代金等の精算等）等を行うこともできる。より具体的には、制御部１００は、例えば、挿入された払込票８００を一時的に保留するために、後述する複数の一時保留部１３２の中から１つの一時保留部１３２を選択し、選択した一時保留部１３２へ払込票８００を搬送するように搬送部１２４を制御することができる。
【００４７】
上記制御部１００は、図３に示すように、情報照会部１５０と、情報生成部（フォーマット情報生成部）１５２とを有する。さらに、当該制御部１００の各ブロックの詳細について説明する。
【００４８】
〜情報照会部１５０〜
情報照会部１５０は、払込票８００における領収印を印字又は押印する位置の位置情報や、払込票８００において、少なくとも払込取扱票８０４と、店舗控え８０６及び／又は受領証８０８との２つの部分を切り離す位置についての位置情報を含むフォーマット情報を、後述する記憶部１０４又はセンタサーバ２０に照会することができる。詳細には、情報照会部１５０は、払込票８００の画像を解析し、払込票８００に印刷された罫線の形態を抽出し、抽出した情報を記憶部１０４又はセンタサーバ２０に予め格納されたフォーマット情報と比較することにより、上記フォーマット情報を照会することができる。
【００４９】
〜情報生成部１５２〜
情報生成部１５２は、扱う払込票８００に該当する上記フォーマット情報が照会できない場合に、後述するスキャナ部（撮像部）１２６によって撮影された払込票８００の画像を用いてフォーマット情報を生成することができる。
【００５０】
（電源部１０２）
電源部１０２は、払込票処理装置１０の内部又は外部に設けられ、外部から供給される商用電源を払込票処理装置１０内の各部分に供給する。例えば、電源部１０２は、払込票処理装置１０内の部分ごとに、外部からの商用電源を当該部分の稼働に必要な電圧に変換し、供給する。
【００５１】
（記憶部１０４）
記憶部１０４は、払込票処理装置１０の内部に設けられ、各種のデータや各種のソフトウェアを格納するＨＤＤ（Ｈａｒｄ  Ｄｉｓｋ  Ｄｒｉｖｅ）装置等のデータ格納用記憶装置等からなる。また、記憶部１０４は、様々な形態を持つ払込票８００における領収印の押印又は印字する位置についての位置情報及び払込票８００を切り離す位置についての位置情報を含むフォーマット情報（データベース）を格納することもできる。
【００５２】
（通信部１０６）
通信部１０６は、払込票処理装置１０の内部に設けられ、有線／無線によりセンタサーバ２０との間でデータの送受信を行うための通信モジュールである。例えば、通信部１０６は、ＬＡＮ（Ｌｏｃａｌ  Ａｒｅａ  Ｎｅｔｗｏｒｋ）や電話回線等に接続され、センタサーバ２０との間で情報の送受信を行うことができる。
【００５３】
（紙幣処理部１０８及び硬貨処理部１１０）
紙幣処理部１０８及び硬貨処理部１１０は、払込票８００に印刷されたデータコード又は文字や数字からなるデータ列から得られた取引情報（払込先、支払金額）に基づき、現金の入出金に関する取引処理を行う機能ブロックである。詳細には、紙幣処理部１０８は、入金された紙幣を計数し、計数された紙幣の格納処理、及び釣銭の出金処理を行う。また、硬貨処理部１１０は、上述の紙幣処理部１０８と協働して、入金された硬貨を計数し、計数された硬貨の格納処理、及び釣銭の出金処理を行う。すなわち、紙幣処理部１０８及び硬貨処理部１１０は、取引処理を実行する取引処理部であると言える。なお、払込票８００に印刷されたデータコードは、一次元（例えば、払込票８００に印刷されたバーコード）又は二次元コード（例えば、払込票８００に印刷されたＱＲコード（登録商標））等であることができる。
【００５４】
（操作表示部１１２）
操作表示部１１２は、払込票処理装置１０の顧客と向かい合う正面に設けられ、顧客による入力操作を受け付ける入力部としての機能、および、顧客へ各種画面を表示する表示部としての機能を包含する。表示部としての機能は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、入力部としての機能は、例えば、上述の各種表示装置に重ねられたタッチパネルにより実現される。なお、本実施形態においては、表示部及び入力部の機能は一体的に構成される代わりに、分離して構成されてもよい。
【００５５】
（機構部１２０）
機構部１２０は、主に払込票８００を処理するための機構であり、図３及び図４に示すように、挿入部１２２と、搬送部１２４と、スキャナ部（撮像部）１２６と、記録部１２８と、カッタ部１３０と、一時保留部１３２と、回収部１３４と、検知部１３６とを主に有する。以下に、機構部１２０の各構成要素の詳細について、順次説明する。
【００５６】
〜挿入部１２２〜
挿入部１２２は、顧客による１枚又は複数枚の払込票８００の挿入を受け付け、挿入された払込票８００を装置の内部へ取り込むことができる。詳細には、挿入部１２２は、顧客と向かい合う正面に設けられた、払込票８００が挿入される挿入口としての開口部（図示省略）を有する。さらに、当該開口部は、払込票処理装置１０にて処理された払込票８００の一部（詳細には、受領証８０８）が顧客へ返却（排出）される際の返却口としても機能することができる。
【００５７】
また、挿入部１２２の上記開口部（図示省略）の内側には、顧客から挿入された複数の払込票８００を１枚ずつ分離する分離機構（図示省略）が設けられていてもよい。この場合、顧客が払込票８００を複数枚同時に上記開口部に挿入すると、上記分離機構は、払込票８００を１枚ずつ分離して、内部へ搬送する。その際、上記分離機構は、先に搬送された払込票８００の搬送状況に合わせて次の払込票８００を分離し、内部へ搬送する。なお、上記分離機構を設けていない場合には、顧客は、払込票８００を１枚ずつ上記開口部に挿入することとなる。さらに、挿入部１２２の上記開口部の内側には、挿入された払込票８００を検知するために、後述する検知部１３６ａが設けられていてもよい。
【００５８】
〜搬送部１２４〜
搬送部１２４は、挿入部１２２に挿入された払込票８００を払込票処理装置１０内の各所に向けて搬送する搬送機構である。詳細には、搬送部１２４は、図４中では連続線で示され、挿入部１２２から、後述するカッタ部１３０、記録部１２８及びスキャナ部１２６を貫き、一時保留部１３２及び回収部１３４の各所まで連続して設けられた搬送路を有する。さらに、搬送部１２４は、当該搬送路に沿って設けられた複数の各種ローラ１３８と、払込票８００の搬送方向を切り替える複数のブレード１４０とを有する。より具体的には、各ローラ１３８は、搬送路を挟んで対向するように配置され、上述の制御部１００により制御され各ローラ１３８が回転することにより、払込票８００を搬送することができる。さらに、制御部１００によって、搬送路に接して設けられた楔形形状のブレード１４０の傾斜方向を変化させることにより、払込票８００の搬送方向を切り替えることができる。
【００５９】
詳細には、図４に示すように、搬送部１２４は、第１の搬送部１２４ａと第２の搬送部１２４ｂとを有する。第１の搬送部１２４ａは、払込票処理装置１０の下部に、例えば、水平方向に延びるように設けられている。また、第１の搬送部１２４ａは、上述の挿入部１２２から後述するカッタ部１３０及び記録部１２８を貫くように伸びており、記録部１２８を過ぎたあたりで、垂直方向に上方へカーブして延びる第２の搬送部１２４ｂと接続されている。さらに、第２の搬送部１２４ｂは、第１の搬送部１２４ａからスキャナ部１２６を貫き、後述する回収部１３４及び複数の一時保留部１３２のそれぞれへ分岐しつつ延びている。
【００６０】
挿入部１２２から延びる第１の搬送部１２４ａには、図４に示すように、複数の幅寄せローラ１３８ｂが設けられ、当該幅寄せローラ１３８ｂが第１の方向に回転することにより、挿入部１２２に挿入された払込票８００を、基準面に幅寄せしながら、装置の内部へと搬送することができる。また、当該幅寄せローラ１３８ｂが上記第１の方向とは逆の第２の方向に回転することにより、内部で処理された払込票８００を挿入部１２２の上記開口部へ搬送することができる。なお、搬送部１２４によって搬送されている払込票８００の搬送状況（到達の有無）は、後述する検知部１３６によって検知することができる。また、本実施形態においては、搬送部１２４の各種ローラ１３８は、図４に示されるような数や位置に設けられていなくてもよく、装置構成等に応じて数や位置等を適宜変更してもよい。
【００６１】
〜スキャナ部１２６〜
スキャナ部１２６は、例えば、図４に示すように、挿入部１２２から見て回収部１３４の手前、すなわち、回収部１３４よりも挿入部１２２に近い位置に設けられている。スキャナ部１２６は、例えば、ＣＩＳ（Ｃｏｎｔａｃｔ  Ｉｍａｇｅ  Ｓｅｎｓｏｒ）といったイメージセンサによって構成され、搬送される払込票８００の表面を光学的に読み取り、デジタル静止画像として上述の記憶部１０４に格納する。より具体的には、スキャナ部１２６は、例えば、払込票８００に印刷されているデータコードや文字や数字からなるデータ列等を撮影し、撮影によって得られた画像は、画像解析がなされ、当該データコード等に記録されている取引情報を取得する際に用いられることができる。なお、払込票８００に印刷されたデータコードは、先に説明したように、一次元又は二次元コードであることができる。さらに、スキャナ部１２６は、払込票８００に手書きされた文字や数字等を撮像してもよく、この場合であっても、撮影によって得られた画像は、ＯＣＲ（Ｏｐｔｉｃａｌ  Ｃｈａｒａｃｔｅｒ  Ｒｅｃｏｇｎｉｔｉｏｎ）等の画像解析がなされ、手書きされた取引情報を取得する際に用いられることができる。なお、スキャナ部１２６の詳細構成については、後述する。
【００６２】
なお、図４に示すように、スキャナ部１２６と向かい合うように、払込票８００をスキャナ部１２６上に通過させるように搬送するフィードローラ１３８ｄが設けられていてもよい。また、本実施形態においては、払込票８００の裏面の画像を取得したい場合には、払込票８００の裏面と向かい合うように更なる他のスキャナ部（図示省略）を設けてもよい。
【００６３】
〜記録部１２８〜
記録部１２８は、例えば、図４に示すように、挿入部１２２から見てスキャナ部１２６及び回収部１３４の手前、すなわち、スキャナ部１２６及び回収部１３４よりも挿入部１２２に近い位置に設けられている。記録部１２８は、スタンプやプリンタ装置によって構成され、上述の制御部１００の制御に従って、上記フォーマット情報に基づいて、搬送された払込票８００の払込取扱票８０４及び店舗控え８０６及び受領証８０８の少なくとも一方に対して領収印の押印又は印字を行う。また、記録部１２８には、払込票８００に対して押印又は印字を行う際に、払込票８００の先端部を検知する検知部（スタンプタイミング検知部）１３６ｄが設けられていてもよい。
【００６４】
例えば、払込票８００に係る代金等が入金済みであることが確認できた場合には、記録部１２８は、当該払込票８００に対して、領収印の押印又は印字を行う。また、記録部１２８は、領収印の押印又は印字の際、当該払込票８００に係る収納代行業務を行った日付や日時等を当該払込票８００に押印又は印字してもよい。また、記録部１２８は、スタンプ及びプリンタ装置の両方を組み合わせることによって実現されてもよい。
【００６５】
また、本実施形態に係る払込票処理装置１０においては、様々な形態を持つ払込票８００に係る収納代行業務を行うこととなる。従って、払込票８００の形態に応じて、領収印を押印又は印字する位置が変わってくることとなる。そこで、本実施形態においては、払込票８００に該当するフォーマット情報に基づき、記録部１２８を払込票処理装置１０の正面から見て左右方向（図４においては紙面に対して垂直方向）に移動させることができる移動機構（図示省略）が設けられていることが好ましい。
【００６６】
〜カッタ部１３０〜
カッタ部１３０は、上下方向に沿って移動する刃を持ち、刃を払込票８００に当接することにより、払込票８００の各領域を切り離すことができる。当該カッタ部１３０は、例えば、図４に示すように、挿入部１２２の近傍、すなわち、上述の記録部１２８よりも挿入部１２２に近い位置に設けられている。例えば、払込票８００に係る代金等が入金済みであることが確認された場合には、カッタ部１３０は、上記フォーマット情報に基づいて、払込票８００を搬送してカット位置をあわせ、刃を下方向に移動させて、当該払込票８００の受領証８０８を払込取扱票８０４及び店舗控え８０６から切り離す。なお、払込票８００を切り離す際に、払込票８００の端部を検知する複数の検知部（カッタタイミング検知部）１３６ｂ、１３６ｃが、カッタ部１３０を挟み込むように設けられていてもよい。
【００６７】
〜一時保留部１３２〜
一時保留部１３２は、挿入された払込票８００を一時的に保留する機構である。当該一時保留部１３２は、例えば、図４に示すように、複数ある搬送部１２４の先端部に、搬送部１２４の一部としてそれぞれ設けられることができる。なお、本実施形態においては、複数の払込票８００に係る収納代行業務を迅速に処理できるように、４つ以上の一時保留部１３２が設けられることが好ましいが、４つ以上に限定されるものではなく、１つ又は３つ以下であってもよい。また、顧客から複数枚の払込票８００が挿入された場合には、上述の制御部１００は、挿入部１２２に近い一時保留部１３２から優先して払込票８００を保留させるように、挿入部１２２に近い順に一時保留部１３２を選択し、選択した一時保留部１３２に払込票８００を搬送するように、上述の搬送部１２４を制御することが好ましい。
【００６８】
さらに、図４に示すように、各一時保留部１３２及び後述する回収部１３４の入り口の手前には、複数のフィードローラ１３８ｃとブレード１４０とが設けられ、払込票８００の搬送先を切り替えることができる。また、各一時保留部１３２及び回収部１３４の入り口の手前には、一時保留部１３２及び回収部１３４の入り口に払込票８００等が到達したことを検知するために、後述する複数の検知部１３６ｅが設けられていることが好ましい。
【００６９】
〜回収部１３４〜
回収部１３４は、払込票８００に係る代金等が入金済みであることが確認された場合には、カッタ部１３０によって受領証８０８と切り離された、当該払込票８００の払込取扱票８０４及び店舗控え８０６を収納（回収）する。当該回収部１３４は、例えば、図４に示すように、挿入部１２２から見て一時保留部１３２の手前、すなわち、一時保留部１３２よりも挿入部１２２に近い位置に設けられている。回収部１３４は、払込票処理装置１０における収納代行業務において、ほぼ毎回、払込取扱票８０４及び店舗控え８０６の収納を行う。従って、回収部１３４を挿入部１２２やカッタ部１３０に近い位置に設けることにより、回収部１３４に払込取扱票８０４及び店舗控え８０６が収納されるまでの搬送距離及び搬送時間をより短くすることができる。
【００７０】
また、回収部１３４の入り口には、こしつけローラ１３８ｅが設けられ、払込取扱票８０４及び店舗控え８０６は、当該こしつけローラ１３８ｅにより、回収部１３４に放出される。この際、放出された払込取扱票８０４及び店舗控え８０６が回収部１３４の入り口をふさぐことが無いように、こしつけローラ１３８ｅに設けられた舌片（図示省略）によって叩かれるようにして、払込取扱票８０４及び店舗控え８０６は回収部１３４に落下しながら放出される。なお、こしつけローラ１３８ｅと舌片とは、図示しない駆動機構によって回転することができる。
【００７１】
〜検知部１３６〜
検知部１３６は、上述の搬送路上に設けられて、払込票８００の搬送状況を検知する。検知部１３６としては、例えば、払込票８００により光が遮られることにより払込票８００の到達又は通過の有無を検知する受発光センサからなる光学式センサ等を用いることができる。
【００７２】
さらに、払込票処理装置１０は、カード状の媒体の挿入を受け付けて当該媒体に記録された情報を読み取る読取部（図示省略）を有してもよく、もしくは、顧客に対して生体認証（例えば、指紋認証）を行う認証機構を有していてもよい。加えて、払込票処理装置１０は、顧客に対して音声等を出力することができるスピーカ（図示省略）を有していてもよい。また、払込票処理装置１０は、上記センタサーバ２０を管理する管理センタに駐在する担当者との間で画像や音声を共有するためのモニタ、スピーカ及びマイクロフォン等（図示省略）を有していてもよい。
【００７３】
なお、本実施形態においては、払込票処理装置１０は、図３及び図４に示される形態に限定されるものではなく、例えばカッタ部１３０を有していない等といった、他の形態であってもよい。
【００７４】
＜スキャナ部１２６の詳細構成＞
次に、図５を参照して、本実施形態に係るスキャナ部１２６の詳細構成について説明する。図５は、本実施形態に係るスキャナ部１２６の詳細を説明するための模式図である。図５に示すように、スキャナ部１２６は、３ライン型ラインセンサ５００と、レンズ部５０２と、白色ＬＥＤライト５１０とを主に有する。以下に、スキャナ部１２６の各機能ブロックについて説明する。
【００７５】
（３ライン型ラインセンサ５００）
３ライン型ラインセンサ５００は、図５に示すように、後述するレンズ部５０２を介して払込票８００の表面と向かい合うように設けられており、払込票８００の画像を取得することができる。３ライン型ラインセンサ５００は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の複数の撮像素子をライン状に配列することにより形成される。詳細には、３ライン型ラインセンサ５００においては、赤色光を受光する複数の赤色撮像素子（赤色光センサ部）（図示省略）と、緑色光を受光する複数の緑色撮像素子（緑色光センサ部）（図示省略）と、青色光を受光する複数の青色撮像素子（青色光センサ部）（図示省略）とが、色ごとに１ラインずつ主走査方向に沿って並んでいる。すなわち、３ライン型ラインセンサ５００は、３色の光をそれぞれ受光する複数の撮像素子からなる列が３つ設けられていることとなる。従って、３ライン型ラインセンサ５００を用いることにより、払込票８００に照射する光の色を切り替えることなく、払込票８００の赤色画像、緑色画像及び青色画像を取得することができる。
【００７６】
詳細には、各撮像素子は、自身の受光面に集光された光量を検出し、検出した光量に応じて画素信号を上述した制御部１００に出力する。この際、各撮像素子から出力される画素信号は１画素分のデータとなり、ライン状に配列された複数の撮像素子から出力される複数の画素信号は１ライン分のデータとなる。そして、払込票８００が搬送部１２４により副走査方向に沿って搬送され、払込票８００が搬送されるごとにライン状に配列された複数の撮像素子は、１ライン分のデータにあたる画素信号の出力を繰り返す。その結果、スキャナ部１２６は、払込票８００が３ライン型ラインセンサ５００の下を通過した際に出力された複数の画素信号（データ）を合成することにより、払込票８００の全体のカラー画像を得ることができる。
【００７７】
（レンズ部５０２）
レンズ部５０２は、３ライン型ラインセンサ５００と払込票８００との間に設けられ、例えば、単焦点レンズからなる。単焦点レンズは、１つの焦点距離を持つレンズのことであり、単焦点レンズにより、払込票８００の画像を縮小して３ライン型ラインセンサ５００に投影することができる。
【００７８】
（白色ＬＥＤライト５１０）
白色ＬＥＤライト５１０は、図５に示すように、払込票８００の表面と向かい合うように設けられており、払込票８００の表面に白色光を照射する。白色ＬＥＤライト５１０は、制御部１００により制御され、３ライン型ラインセンサ５００の画像取得のタイミングに合わせて、点灯したり、消灯したりすることができる。また、白色ＬＥＤライト５１０は、例えば、６６０ｎｍ前後の波長を持つ赤色光、５２０ｎｍ前後の波長を持つ緑色光、及び４５０ｎｍ前後の波長を持つ青色光のうちの２つ又は３つを同時に照射することにより、白色光を照射することができる。なお、本実施形態においては、各色の光を発光する複数のＬＥＤライトが不要となることから、払込票処理装置１０の製造コストの増加を抑えることができる。
【００７９】
なお、本実施形態においては、スキャナ部１２６は、上述のような形態に限定されるものではなく、他の形態であってもよい。
【００８０】
＜ＰＯＳ端末３０の詳細構成＞
次に、図６を参照して、本実施形態に係るＰＯＳ端末３０の詳細構成について説明する。図６は、本実施形態に係るＰＯＳ端末３０の機能ブロック図である。図６に示すように、ＰＯＳ端末３０は、現金処理部３０２と、表示部３０４と、プリンタ部３０６と、ハンディスキャナ３０８と、操作部３１０と、記憶部３１４と、制御部３１６と、通信部３１８とを主に有する。以下に、ＰＯＳ端末３０の各機能ブロックについて説明する。
【００８１】
（現金処理部３０２）
現金処理部３０２は、現金の入出金に関する処理を行うことができる。詳細には、現金処理部３０２は、例えば、店員が顧客から受け取って、入金した現金を計数し、後述する制御部３１６に計数結果を通知する。また、現金処理部３０２は、計数された現金を格納する格納処理、及び釣銭を出金する出金処理を行うこともできる。
【００８２】
（表示部３０４）
表示部３０４は、店員に対して画像や、上述の現金処理部３０２における処理結果等の表示を行う。表示部３０４は、例えば、ＬＣＤ装置、ＯＬＥＤ装置等により実現される。具体的には、表示部３０４は、例えば、上述した払込票処理装置１０から送信された払込票８００の画像を表示することができる。
【００８３】
（プリンタ部３０６）
プリンタ部３０６は、紙状媒体へＰＯＳ端末３０における取引結果を印刷し、印刷された紙状媒体を所定の長さに切断して、レシートとして発行する。
【００８４】
（ハンディスキャナ３０８）
ハンディスキャナ３０８は、払込票８００等に印刷された一次元コード又は二次元コードから情報を光学的に読み取る（スキャンする）データコードリーダの一例である。
【００８５】
（操作部３１０）
操作部３１０は、ＰＯＳ端末３０を操作する店員の入力操作を受け付ける操作部であり、例えば、各種ボタン、テンキー、キーボード等から実現される。また、操作部３１０は、上述の表示部３０４に重畳して設けられたタッチパネルにより実現されてもよい。
【００８６】
（記憶部３１４）
記憶部３１４は、ＰＯＳ端末３０において行なわれた取引の情報等を格納する記憶部であり、ＨＤＤ装置等のデータ格納用記憶装置等で構成される。
【００８７】
（制御部３１６）
制御部３１６は、演算処理装置であるＣＰＵ、ＣＰＵが使用するプログラムや演算パラメータ等を記憶するＲＯＭ、ＣＰＵの実行において使用するプログラムや、その実行において適宜変化するパラメータ等を一時記憶するＲＡＭ等で構成される。このような制御部３１６により、ＰＯＳ端末３０の動作全般が制御される。
【００８８】
（通信部３１８）
通信部３１８は、有線／無線により、払込票処理装置１０やセンタサーバ２０等との間でデータの送受信を行うための通信モジュールである。例えば、通信部３１８は、通信ケーブル（図示省略）やＬＡＮ等を介して、センタサーバ２０との間でデータの送受信を行うこともできる。また、通信部３１８は、例えば、ＬＡＮ等を介して、同一店舗内に設置された払込票処理装置１０から送信された払込票８００の画像等の取引情報を受信することができる。
【００８９】
なお、本実施形態においては、先に説明したように、図６に示されるＰＯＳ端末３０を利用することに限定されるものではなく、ＰＯＳ端末３０の代わりに、店舗内や管理センタに設置されたパーソナルコンピュータ（図示省略）や専用端末を用いてもよく、特に限定されるものではない。
【００９０】
＜収納代行業務＞
以上、本実施形態に係る払込票処理システム１の構成及び払込票処理システム１に含まれる各装置の詳細構成等について説明した。続いて、上記払込票処理装置１０等を用いた本実施形態に係る収納代行業務について説明する。本実施形態に係る収納代行業務においては、フォーマット情報が既に存在する場合と、フォーマット情報が存在しない場合との主に２つのパターンに分けることができる。以下に、本実施形態に係る収納代行業務の各パターンについて説明する。
【００９１】
（フォーマット情報が既に存在する場合）
まずは、フォーマット情報が既に存在する場合の収納代行業務を、図７から図１４を参照して説明する。図７は、本実施形態に係る収納代行業務の一例を示すシーケンス図である。図８から図１４は、払込票処理装置１０内における払込票８００の動きを模式的に示した説明図である。
【００９２】
フォーマット情報が既に存在する場合の収納代行業務は、図７に示すように、ステップＳ１０１からステップＳ１１３までの複数のステップを含むことができる。以下に、本実施形態に係る収納代行業務の各ステップの詳細を説明する。
【００９３】
〜ステップＳ１０１〜
まず、払込票処理装置１０は、顧客からの払込票８００の挿入を受け付ける。詳細には、払込票処理装置１０は、挿入部１２２に払込票８００が挿入されたことを検知した場合、図８に示されるように、ローラ１３８によって挿入された払込票８００を払込票処理装置１０の内部に引き込む。さらに、払込票処理装置１０は、図９及び図１０に示されるように、ローラ１３８によって払込票８００を一時保留部１３２まで搬送する。
【００９４】
なお、払込票処理装置１０は、顧客が複数の払込票８００の挿入を行おうとしている場合には、１枚の払込票８００の挿入を受け付けるごとに、顧客に対して、追加挿入する払込票８００があるかどうかを顧客に確認することが好ましい。そして、払込票処理装置１０は、追加挿入する払込票８００があった場合には、空いている一時保留部１３２が存在している場合にのみ、払込票８００の挿入を受け付けるようにすることが好ましい。
【００９５】
図９に示されるように、搬送の途中で、払込票８００はスキャナ部１２６を通過する。この際、払込票処理装置１０は、スキャナ部１２６によって、払込票８００の画像を取得する。取得した払込票８００の画像は、後述するステップＳ１０３でフォーマット情報の照会を行う際に用いることができる。加えて、取得した払込票８００の画像は、後述するステップＳ１０７等で用いる取引情報をデータコードから抽出する際にも用いることができる。従って、ステップＳ１０１で取得される払込票８００の画像は、高解像度であることが好ましく、例えば、４００ｄｐｉ以上であることが好ましい。
【００９６】
なお、本実施形態においては、払込票処理装置１０は、取得した払込票８００の画像から得られたデータコード等から抽出された取引情報に基づいて、フォーマット情報の照会を行ってもよい。
【００９７】
〜ステップＳ１０３〜
払込票処理装置１０は、上述のステップＳ１０１で取得した払込票８００の画像に基づき、当該払込票８００に対応するフォーマット情報、すなわち、当該払込票８００における領収印の押印又は印字する位置についての位置情報及び払込票８００を切り離す位置についての位置情報を記憶部１０４又はセンタサーバ２０に照会する。具体的には、払込票処理装置１０は、上述のステップＳ１０１で取得した払込票８００の画像を解析し、払込票８００に印刷された罫線の形態を抽出し、抽出した情報を記憶部１０４又はセンタサーバ２０に予め格納されたフォーマット情報と比較することにより、該当するフォーマット情報が存在するかを照会する。
【００９８】
〜ステップＳ１０５〜
払込票処理装置１０は、該当するフォーマット情報が存在する場合には、記憶部１０４又はセンタサーバ２０から該当するフォーマット情報を取得する。
【００９９】
〜ステップＳ１０７〜
払込票処理装置１０は、上述のステップＳ１０１で取得した払込票８００の画像を解析して、払込票８００に印刷されたデータコード等を抽出し、抽出したデータコード等に含まれる取引情報（払込先、支払金額）を取得する。さらに、払込票処理装置１０は、取得した取引情報に基づき、顧客に対して、支払金額を表示する。
【０１００】
〜ステップＳ１０９〜
払込票処理装置１０は、顧客からの代金の入金を受け付け、入金処理を行う。
【０１０１】
〜ステップＳ１１１〜
払込票処理装置１０は、図１１に示すように一時保留部１３２から払込票８００を繰出し、図１２に示すように、記録部１２８によって払込票８００に領収印を押印する。さらに、払込票処理装置１０は、図１３に示すように、払込票８００から受領証８０８を切り離し、切り離した受領証８０８を顧客に向けて排出する。そして、払込票処理装置１０は、図１４に示すように、払込票８００の払込取扱票８０４及び店舗控え８０６を回収部１３４に搬送し、払込取扱票８０４及び店舗控え８０６を回収する。
【０１０２】
〜ステップＳ１１３〜
払込票処理装置１０は、必要に応じて、顧客に釣銭を返却する。
【０１０３】
（フォーマット情報が存在しない場合）
次に、フォーマット情報が存在しない場合の収納代行業務を、図１５及び図１６を参照して説明する。図１５は、本実施形態に係る収納代行業務の一例を示すシーケンス図である。図１６は、本実施形態における表示画面７００の一例を示す説明図である。
【０１０４】
フォーマット情報が存在しない場合の収納代行業務は、図１５に示すように、ステップＳ２０１からステップＳ２２７までの複数のステップを含むことができる。以下に、本実施形態に係る収納代行業務の各ステップの詳細を説明する。
【０１０５】
〜ステップＳ２０１及びステップＳ２０３〜
ステップＳ２０１及びステップＳ２０３は、図７に示されるステップＳ１０１及びステップＳ１０３と同様であるため、ここでは詳細な説明を省略する。
【０１０６】
なお、ステップＳ２０１で取得した払込票８００の画像は、後述するステップＳ２０９等でフォーマット情報の生成を行う際に用いることができる。従って、ステップＳ２０１で取得される払込票８００の画像は、細い罫線も読み込むことが必要なため高解像度であることが好ましく、例えば４００ｄｐｉ以上であることが好ましい。
【０１０７】
〜ステップＳ２０７〜
該当するフォーマット情報が記憶部１０４又はセンタサーバ２０に存在しない場合には、払込票処理装置１０は、新たにフォーマット情報の登録（生成）を行う旨を顧客に表示する。この際、払込票処理装置１０は、新たにフォーマット情報の登録を行う旨を表示するのではなく、代わりに、該当するフォーマット情報が存在しない旨を表示してもよい。
【０１０８】
〜ステップＳ２０９〜
払込票処理装置１０は、ステップＳ２０１で取得した払込票８００の画像をＰＯＳ端末３０へ送信する。
【０１０９】
〜ステップＳ２１１〜
ＰＯＳ端末３０は、店員に対して、図１６に示すような払込票８００の画像７０２を含む表示画面７００を表示し、店員からの入力操作を受け付ける。表示画面７００は、例えば、払込票８００の画像７０２や、各種の設定ボタン７０６、７０８等を含む。なお、表示画面７００に含まれる払込票８００の画像７０２は、払込票８００の全体の画像であってもよく、払込票８００の一部の画像であってもよい。後者の場合、店員は、表示画面７００に対して画面スクロールを行うことにより、払込票８００の全体の画像を表示させてもよい。さらに、本実施形態においては、表示画面７００は、図１６に示される形態に限定されるものではなく、他の形態であってもよい。
【０１１０】
詳細には、店員は、払込票８００の画像７０２を見ながら、ガイダンスに従い、当該払込票８００における領収印の押印又は印字する位置についての位置情報及び払込票８００を切り離す位置についての位置情報を入力する。例えば、店員は、払込票８００の画像７０２に重畳して表示された枠７０４を移動させることにより、領収印の押印又は印字する位置についての位置情報を入力することができる。なお、この際、店員は、枠７０４内に顧客の個人情報が含まれないように上記位置情報の選択を行うことが好ましい。
【０１１１】
この際、ＰＯＳ端末３０（又は、払込票処理装置１０）は、領収印の押印又は印字する位置及び払込票８００を切り離す位置を、あらかじめ定められたルールに基づいて自動抽出し、店員に対して抽出結果を表示してもよい。さらに、ＰＯＳ端末３０（又は、払込票処理装置１０）は、払込票８００における個人情報が印刷された領域もしくは手書きされた領域をあらかじめ定められたルールに基づいて自動抽出し、自動抽出した領域にマスク（加工）をかけた後に、店員に対して表示してもよい。
【０１１２】
〜ステップＳ２１３及びステップＳ２１５〜
ステップＳ２１３及びステップＳ２１５は、図７に示されるステップＳ１０７及びステップＳ１０９と同様であるため、ここでは詳細な説明を省略する。
【０１１３】
〜ステップＳ２１７〜
ＰＯＳ端末３０は、店員によって入力された当該払込票８００における領収印の押印又は印字する位置についての位置情報及び払込票８００を切り離す位置についての位置情報を払込票処理装置１０に送信する。
【０１１４】
〜ステップＳ２１９〜
払込票処理装置１０は、払込票８００の画像とＰＯＳ端末３０から送信された位置情報とを用いて、払込票８００における領収印の押印又は印字する位置についての位置情報及び払込票８００を切り離す位置についての位置情報を含むフォーマット情報を生成する。この際、払込票処理装置１０は、払込票８００における個人情報が印刷された領域等をあらかじめ定められたルールに基づいて自動抽出することにより、生成したフォーマット情報に個人情報が含まれていないかを確認することが好ましい。
【０１１５】
〜ステップＳ２２１及びステップＳ２２３〜
ステップＳ２２１及びステップＳ２２３は、図７に示されるステップＳ１１１及びステップＳ１１３と同様であるため、ここでは詳細な説明を省略する。
【０１１６】
〜ステップＳ２２５〜
払込票処理装置１０は、上述のステップＳ２１９で生成したフォーマット情報を、記憶部１０４に格納し、さらに、フォーマット情報をセンタサーバ２０へ送信する。
【０１１７】
〜ステップＳ２２７〜
センタサーバ２０は、払込票処理装置１０から送信されたフォーマット情報を格納し、さらに、フォーマット情報を他の払込票処理装置１０に配信する。なお、フォーマット情報の受信から配信の間に、センタサーバ２０でのフォーマットの正当性を確認する確認処理が入ることが望ましい。
【０１１８】
以上のように、本実施形態においては、フォーマット情報が存在しない払込票８００が挿入された場合であっても、新たにフォーマット情報を生成することができる。従って、本実施形態によれば、この後、払込票処理装置１０に同様の形態等を持つ払込票８００が新たに挿入された際には、自動で収納代行業務を行うことができる。さらに、本実施形態によれば、多くの手間を省きつつ、膨大な量のフォーマット情報を収集し、データベースを構築することができる。
【０１１９】
なお、上述の説明においては、店員によってフォーマット情報の位置情報を入力していたが、本実施形態においてはこれに限定されるものではなく、例えば、センササーバ２０を管理する管理センタに駐在する担当者によって行われてもよい。この場合、ＰＯＳ端末３０の代わりに、管理センタに設置されたＰＣ（図示省略）が用いられることとなる。
【０１２０】
また、本実施形態においては、領収印の押印に限定されるものではなく、代わりに領収印を印字してもよい。また、本実施形態においては、払込票８００から受領証８０８を切り離すことに限定されるものではなく、例えば、このような切り離しが行われなくてもよい。さらに、本実施形態においては、切り離しが行われない場合には、払込票８００の全体が顧客に返却されてもよく、もしくは、払込票８００の返却の代わりに、払込票８００の全体又は一部をコピーしたレシートが顧客に返却されてもよい。
【０１２１】
＜＜第２の実施形態＞＞
ところで、上述の第１の実施形態においては、店員によってフォーマット情報の位置情報を入力していたが、この場合、顧客の個人情報が店員に晒されることとなる。そこで、以下に説明する本発明の第２の実施形態においては、顧客によってフォーマット情報の位置情報を入力する。以下に、このような第２の実施形態を説明する。
【０１２２】
なお、本実施形態においては、払込票処理装置１０の詳細構成については、第１の実施形態と同様であるため、ここでは説明を省略する。また、本実施形態においては、収納代行業務についても以下の点を除き第１の実施形態と同様であるため、以下においては、異なる点のみを説明する。
【０１２３】
詳細には、払込票処理装置１０は、顧客に対して、図１６に示すような払込票８００の画像７０２を含む表示画面７００を表示する。そこで、顧客は、表示画面７００のガイダンスを参照しながら、当該払込票８００における領収印の押印又は印字する位置についての位置情報及び払込票８００を切り離す位置についての位置情報を入力する。
【０１２４】
以上のように、本実施形態によれば、顧客自身がフォーマット情報の位置情報を入力することから、顧客の個人情報が店員等に晒されることを避けることができる。加えて、本実施形態によれば、払込票処理装置１０だけでフォーマット情報の生成が可能となる。
【０１２５】
なお、本実施形態においては、フォーマット情報の生成の前に、顧客に対して、フォーマット情報の位置情報の入力を店員が行うか、顧客自身が行うかを選択させてもよい。
【０１２６】
＜＜第３の実施形態＞＞
上述した第１及び第２の実施形態においては、図７に示すステップＳ１０１及び図１５に示すステップＳ２０１において取得する払込票８００の画像は高解像度であることが求められる。詳細には、後続のステップでフォーマット情報の照会を行うために、払込票８００に印刷された罫線等の情報を抽出するための画像は、低解像度の例えば２００ｄｐｉのカラー画像であればよい。しかしながら、データコード等から取引情報を抽出するための画像は、高解像度の例えば３００〜６００ｄｐｉのモノクロ画像又はカラー画像であることが求められる。従って、上述のステップＳ１０１及びステップＳ２０１においては、画像が取引情報を抽出する画像として用いることができるように、高解像度の払込票８００の画像を取得することとなる。そして、高解像度で画像を取得するためには、主走査方向及び副操作方向に細かく払込票８００を撮影することが求められることから、スキャナ部１２６における払込票８００の搬送速度は低速に設定されることとなる。その結果、上述した第１及び第２の実施形態においては、収納代行業務にかかる時間をより短くすることには限界があった。また、データサイズが大きくなることにより、データの転送にかかる時間が伸びることから、収納代行業務の処理時間が長くなってしまう原因となっていた。
【０１２７】
そこで、以下の説明においては、本実施形態においては、第１回目の画像取得（第１の画像取得）時に、払込票８００に印刷された罫線等の情報を抽出するための画像（フォーマット情報を照会する際に用いる画像）として、２００ｄｐｉ程度の低解像度の払込票８００全体のカラー画像を高速取得する。この際に取得された画像は、罫線等を抽出するだけでなく、データコードが印刷された払込票８００の領域を抽出するためにも用いることができる。そして、第２回目の画像取得（第２の画像取得）時には、取引情報を抽出するために、データコードが印刷された領域のみの画像を高解像度のモノクロ画像として取得する。第２回目の画像取得では、狭い領域の画像を取得するようにしたことで、高解像度の画像の取得するために搬送速度が遅くなっても、収納代行業務にかかる時間が長くなることを抑えることができ、且つ、データ量が増大することを抑えることができる。さらに、フォーマット情報が存在しない場合には、第３回目の画像取得（第３の画像取得）として、高解像度の払込票８００の全体のカラー画像を取得する。このように、本実施形態によれば、フォーマット情報が存在しなかった場合にのみ、第３回目の画像取得を行うことから、収納代行業務が長くなることを抑えつつ、データ量が増大することを抑えることができる。以下に、第３の実施形態の詳細を説明する。
【０１２８】
なお、本実施形態においては、払込票処理装置１０の詳細構成については、第１の実施形態と同様であるため、ここではその説明を省略する。
【０１２９】
以下の説明においては、本実施形態において、フォーマット情報が存在しなかった場合の収納代行業務を、図１７を参照して説明する。図１７は、本実施形態に係る収納代行業務の一例を示すフローチャートである。
【０１３０】
本実施形態に係る収納代行業務は、図１７に示すように、ステップＳ３０１からステップＳ３２３までの複数のステップを含むことができる。以下に、本実施形態に係る収納代行業務の各ステップの詳細を説明する。
【０１３１】
〜ステップＳ３０１〜
まず、第１の実施形態と同様に、払込票処理装置１０は、顧客からの払込票８００の挿入を受けつける。払込票処理装置１０は、挿入部１２２に払込票８００が挿入されたことを検知した場合、ローラ１３８によって払込票８００を一時保留部１３２まで搬送する。
【０１３２】
払込票８００は、搬送の途中でスキャナ部１２６を通過するが、その際に、払込票処理装置１０は、スキャナ部１２６によって払込票８００の画像を取得する。この際、先に説明したように、払込票処理装置１０は、払込票８００に印刷された罫線等の情報を抽出するための画像として、低解像度（例えば、２００ｄｐｉ）のカラー画像を取得する。この際、スキャナ部１２６における払込票８００の搬送速度は、高速に設定されることとなる。
【０１３３】
さらに、当該ステップＳ３０１においては、先に説明したように、払込票処理装置１０は、取得された画像から、データコードが印刷された領域の位置情報を抽出する。
【０１３４】
〜ステップＳ３０３〜
払込票処理装置１０は、例えば、一時保留部１３２から払込票８００を繰り出し、ステップＳ３０１で抽出されたデータコードが印刷された払込票８００の領域に基づいて、データコードが印刷された領域のみの高解像度（例えば、６００ｄｐｉ）のモノクロ画像を取得する。すなわち、ステップＳ３０３で取得される画像の解像度は、ステップＳ３０１で取得される画像の解像度に比べて高い。当該ステップＳ３０３においては、高解像度の画像の取得するために、スキャナ部１２６における払込票８００の搬送速度を、上記ステップＳ３０１におけるスキャナ部１２６の払込票８００の搬送速度に比べて遅く設定した場合であっても、狭い領域の画像を取得するようにすることで、収納代行業務に係る時間が長くなることを抑えることができる。加えて、狭い領域の画像を取得するようにすることで、高解像度に画像を取得しても、データ量が増大することを抑えることができる。
【０１３５】
〜ステップＳ３０５及びステップＳ３０７〜
ステップＳ３０５及びステップＳ３０７は、図１５に示されるステップＳ２０３及びステップＳ２０７と同様であるため、ここでは詳細な説明を省略する。
【０１３６】
〜ステップＳ３０９及びステップＳ３１１〜
ステップＳ３０９及びステップＳ３１１は、図７に示されるステップＳ１０７及びステップＳ１０９と同様であるため、ここでは詳細な説明を省略する。
【０１３７】
〜ステップＳ３１３〜
払込票処理装置１０は、先に説明したように、払込票８００の全体の画像を高解像度（例えば、６００ｄｐｉ）のカラー画像として取得する。すなわち、ステップＳ３１３で取得される画像の解像度は、ステップＳ３０１で取得される画像の解像度に比べて高い。この際、取得された画像は、新たにフォーマット情報を生成する際に用いられる。また、この際、スキャナ部１２６における払込票８００の搬送速度は、低速に設定されることとなり、すなわち、ステップＳ３１３でのスキャナ部１２６における払込票８００の搬送速度は、上記ステップＳ３０１におけるスキャナ部１２６の払込票８００の搬送速度に比べて遅く設定される。
【０１３８】
〜ステップＳ３１５及びステップＳ３１７〜
ステップＳ３１５及びステップＳ３１７は、図１５に示されるステップＳ２０９及びステップＳ２１９と同様であるため、ここでは詳細な説明を省略する。
【０１３９】
なお、フォーマット情報を生成するためのステップＳ３１３からステップＳ３１７は、取引処理のためのステップＳ３０９及びステップＳ３１１と同時に実行される、すなわち平行処理されることが好ましい。このようにすることで、顧客の待ち時間をより少なくすることができる。さらに、上述のステップＳ３０７からステップＳ３１７は、フォーマット情報が既に存在した場合には、省略されることとなる。
【０１４０】
なお、払込票８００の画像を取得する際には、払込票８００の搬送速度は、所望の解像度の画像が取得できる範囲で、できるだけ速くなるように設定されることが好ましい。このようにすることで、収納代行業務にかかる時間が長くなることを抑えることができる。
【０１４１】
〜ステップＳ３１９及びステップＳ３２１〜
ステップＳ３１９及びステップＳ３２１は、図７に示されるステップＳ１１１及びステップＳ１１３と同様であるため、ここでは詳細な説明を省略する。
【０１４２】
〜ステップＳ３２３〜
ステップＳ３２３は、図１５に示されるステップＳ２２５と同様であるため、ここでは詳細な説明を省略する。
【０１４３】
以上のように、本実施形態においては、データコードが印刷された領域のみの高解像度のモノクロ画像を取得するようにすることで、高解像度の画像を取得するために搬送速度が遅くなっても、収納代行業務のかかる時間が長くなることを抑えることができる。加えて、本実施形態によれば、狭い領域の画像を取得するようにすることで、高解像度に画像を取得しても、データ量が増大することを抑えることができる。
【０１４４】
＜＜第４の実施形態＞＞
上述の第３の実施形態においては、フォーマット情報が存在していた場合には、払込票８００の画像を２回取得し、フォーマット情報が存在していなかった場合には、払込票８００の画像を３回取得していた。従って、第３の実施形態においては、収納代行業務にかかる時間が長くなることを抑えることには限界があった。そこで、収納代行業務にかかる時間が長くなることをより抑えることができる本発明の第４の実施形態を説明する。本実施形態によれば、フォーマット情報が存在していた場合には、払込票８００の画像を１回取得し、フォーマット情報が存在していなかった場合には、払込票８００の画像を２回取得するだけでよい。
【０１４５】
ところで、バーコード等のデータコードは、払込票８００に黒色で印刷されることが一般的である。一方、罫線等は、様々な色（赤、青等）で払込票８００に印刷されることが多い。また、先に説明したように、払込票８００に印刷された罫線等の情報を抽出するための画像は、低解像度の例えば２００ｄｐｉのカラー画像であればよい。一方、払込票８００からデータコード等を抽出して取引情報を取得するための画像は、高解像度の例えば４００〜６００ｄｐｉのモノクロ画像であることが求められる。
【０１４６】
そこで、本実施形態においては、例えば、２００ｄｐｉの解像度を持つカラー画像を変換して、６００ｄｐｉの解像度を持つモノクロ画像を取得する。このようにすることで、本実施形態においては、罫線等の帳票全体イメージを抽出するための低解像度のカラー画像を取得しつつ、取引情報を抽出するためのデータコードの高解像度のモノクロ画像の取得も同時に行うことができることから、画像の取得回数を減らすことができる。加えて、本実施形態においては、搬送速度を低速にすることもないことから、収納代行業務にかかる時間をより短く抑えることができる。すなわち、本実施形態においては、払込票８００に印刷された罫線等の情報を抽出するための画像（フォーマット情報を照会する際に用いる画像）の取得（第１の画像取得）と、取引情報を抽出するための画像の取得（第２の画像取得）とが同時に実行されることとなる。以下に、このような本実施形態の詳細を順次説明する。
【０１４７】
＜払込票処理装置１０ａの詳細構成＞
まずは、本発明の第４の実施形態に係る払込票処理装置１０ａの詳細構成について、図１８を参照して説明する。図１８は、本実施形態に係る払込票処理装置１０ａの機能ブロック図である。
【０１４８】
図１８に示すように、本実施形態に係る払込票処理装置１０ａは、第１の実施形態と同様に、制御部１００と、電源部１０２と、記憶部１０４と、通信部１０６と、紙幣処理部１０８と、硬貨処理部１１０と、操作表示部１１２と、機構部１２０とを主に有する。さらに、本実施形態に係る払込票処理装置１０ａの制御部１００は、情報照会部１５０及び情報生成部１５２の他に、さらに画像変換部１５４を有する点で、第１の実施形態と異なる。従って、以下の説明においては、第１の実施形態と共通する点の説明を省略し、異なる点のみ、すなわち、画像変換部１５４のみを説明する。
【０１４９】
〜画像変換部１５４〜
画像変換部１５４は、スキャナ部１２６が取得した各画素の色ごとの画素信号（データ）を黒色の画素信号（データ）に変換して並べる変えることにより、取引情報を抽出する際に用いることができる払込票８００の高解像度のモノクロ画像を取得することができる。なお、画像変換部１５４の動作の詳細については後述する。
【０１５０】
＜収納代行業務＞
以上、本実施形態に係る払込票処理装置１０ａについて説明した。続いて、本実施形態に係る収納代行業務について説明する。詳細には、本実施形態においてフォーマット情報が存在しなかった場合の収納代行業務を、図１７から図２３を参照して説明する。図１９は、本実施形態に係る収納代行業務の一例を示すフローチャートである。図２０は、図１９のステップＳ４０１における画像取得の一例を示すフローチャートである。さらに、図２１から図２３は、本実施形態における画像取得の一例を説明するための説明図である。
【０１５１】
本実施形態に係る収納代行業務は、図１９に示すように、ステップＳ４０１からステップＳ４２１までの複数のステップを含むことができる。以下に、本実施形態に係る収納代行業務の各ステップの詳細を説明する。
【０１５２】
〜ステップＳ４０１〜
まず、第１の実施形態と同様に、払込票処理装置１０ａは、顧客からの払込票８００の挿入を受け付ける。払込票処理装置１０ａは、挿入部１２２に払込票８００が挿入されたことを検知した場合、ローラ１３８によって払込票８００を一時保留部１３２まで搬送する。払込票８００は、搬送の途中でスキャナ部１２６を通過するが、その際に、払込票処理装置１０は、スキャナ部１２６によって払込票８００の画像を取得する。この際、先に説明したように、払込票処理装置１０は、払込票８００に印刷された罫線等の情報を抽出するための画像として、低解像度（例えば、２００ｄｐｉ）のカラー画像を取得する。この際、スキャナ部１２６における払込票８００の搬送速度は、高速に設定されることとなる。
【０１５３】
さらに、本実施形態においては、先に説明したように、払込票処理装置１０ａは、取得された画像から、高解像度（例えば、６００ｄｐｉ）の払込票８００のモノクロ画像を取得する。なお、モノクロ画像の取得の詳細については後述する。
【０１５４】
〜ステップＳ４０３及びステップＳ４０５〜
ステップＳ４０３及びステップＳ４０５は、図１５に示されるステップＳ２０３及びステップＳ２０７と同様であるため、ここでは詳細な説明を省略する。
【０１５５】
〜ステップＳ４０７及びステップＳ４０９〜
ステップＳ４０７及びステップＳ４０９は、図７に示されるステップＳ１０７及びステップＳ１０９と同様であるため、ここでは詳細な説明を省略する。
【０１５６】
〜ステップＳ４１１〜
払込票処理装置１０ａは、先に説明したように、払込票８００の全体の高解像度（例えば、６００ｄｐｉ）のカラー画像を取得する。この際、取得された画像は、新たにフォーマット情報を生成する際に用いられる。この際、スキャナ部１２６における払込票８００の搬送速度は、ステップＳ４０１におけるスキャナ部１２６の払込票８００の搬送速度に比べて遅くなるように設定される。また、ステップＳ４１１における払込票８００の画像の取得は、画像取得後のデータ処理を顧客操作時間と並行処理とするため、図１１及び図１２に示されるように、払込票８００が一時保留部１３２から繰り出され、挿入部１２２方向（挿入部１２２の向う方向）に搬送される際に行われることが好ましい。すなわち、ステップＳ４１１における払込票８００の画像を取得する間の搬送方向は、ステップＳ４０１における払込票８００の画像を取得する間の搬送方向に対して逆方向であることが好ましい。画像取得後、払込票８００はもとの一時保留部１３２に戻される。なお、本実施形態においては、このような搬送方向に限定されるものではなく、ステップＳ４０１及びステップＳ４１１における搬送方向は、同一であってもよく、この場合も、払込票８００は、挿入部１２２と一時保留部１３２との間を往復することとなる。
【０１５７】
〜ステップＳ４１３及びステップＳ４１５〜
ステップＳ４１３及びステップＳ４１５は、図１５に示されるステップＳ２０９及びステップＳ２１９と同様であるため、ここでは詳細な説明を省略する。さらに、上述のステップＳ４０５からステップＳ４１５は、フォーマット情報が既に存在した場合には、省略されることとなる。
【０１５８】
〜ステップＳ４１７及びステップＳ４１９〜
ステップＳ４１７及びステップＳ４１９は、図７に示されるステップＳ１１１及びステップＳ１１３と同様であるため、ここでは詳細な説明を省略する。
【０１５９】
〜ステップＳ４２１〜
ステップＳ４２１は、図１５に示されるステップＳ２２５と同様であるため、ここでは詳細な説明を省略する。
【０１６０】
＜ステップＳ４０１の詳細＞
次に、図２０から図２３を参照して、図１９のステップＳ４０１の画像取得の詳細を説明する。当該ステップＳ４０１は、図２０に示すように、ステップＳ５４１からステップＳ５４５までの複数のステップを含むことができる。以下に、これら各ステップの詳細を説明する。
【０１６１】
〜ステップＳ５４１〜
先に説明したように、払込票処理装置１０ａは、払込票８００に印刷された罫線等の情報を抽出するための画像として、低解像度（例えば、２００ｄｐｉ）のカラー画像を取得し、取得したカラー画像を保存する。
【０１６２】
〜ステップＳ５４３〜
次に、払込票処理装置１０ａは、カラー画像の各画素の３色（赤色、青色、緑色）のデータ（画素信号）を並び替えて加工し、黒色のデータからなるモノクロ画像を取得する。詳細には、図２１に示すように、取得したカラー画像においては、各画素（図２１における各矩形）のデータとして、赤色、青色、緑色の各色のデータ（Ｂ（ｍ，ｎ）、Ｇ（ｍ，ｎ）、Ｒ（ｍ，ｎ）が含まれている。そこで、本実施形態においては、各画素の各色のデータを並び替えて、言い換えると、図２２に示すように、１つの画素の３色のデータを３つの画素のデータに仮想的に分割する。さらに、本実施形態においては、図２３に示すように、１つの画素の各色のデータを黒色のデータ（Ｐ（ｍ，ｎ））に変換することにより、カラー画像に比べて３倍の画素数を持つと仮定することができる高解像度（例えば、６００ｄｐｉ）のモノクロ画像を取得することができる。
【０１６３】
〜ステップＳ５４５〜
そして、払込票処理装置１０ａは、ステップＳ５４３で取得されたモノクロ画像を保存する。
【０１６４】
以上のように、本実施形態においては、低解像度のカラー画像を高解像度のモノクロ画像に変換することにより、罫線等を抽出するための低解像度のカラー画像を取得しつつ、取引情報を抽出するための高解像度のモノクロ画像の取得も同時に行うことができる。その結果、本実施形態によれば、時間がかかる画像取得処理の回数を減らし、収納代行業務にかかる時間が長くなることをより抑えることができる。
【０１６５】
＜＜第５の実施形態＞＞
なお、本発明の第４の実施形態においては、スキャナ部１２６は３ライン型ラインセンサ５００及び白色ＬＥＤライト５１０で構成されるものとして説明したが、本実施形態においては、このような構成に限定されるものではなく、他の構成であってもよい。そこで、本発明の第５の実施形態として、他の構成を持つスキャナ部１２６を説明する。
【０１６６】
＜スキャナ部１２６の詳細構成＞
まずは、図５及び図２４を参照して、本実施形態に係るスキャナ部１２６の詳細構成について説明する。図２４は、本実施形態におけるタイミングパターン９２０の一例を示す説明図である。本実施形態においては、スキャナ部１２６は、１ライン型ラインセンサ５００と、レンズ部５０２と、３色ＬＥＤライト５１０とを主に有する。以下に、本実施形態におけるスキャナ部１２６の各機能ブロックについて説明する。
【０１６７】
（１ライン型ラインセンサ５００）
１ライン型ラインセンサ５００は、上述した図５のラインセンサ５００として、レンズ部５０２を介して払込票８００の表面と向かい合うように設けられており、払込票８００の表面の画像を取得する。１ライン型ラインセンサ５００は、例えばＣＣＤやＣＭＯＳ等の複数の撮像素子（図示省略）がライン状に配列されることにより形成される。１ライン型ラインセンサ５００の上記各撮像素子の受光面には、レンズ部５０２により払込票８００の表面の画像が投影される。
【０１６８】
（３色ＬＥＤライト５１０）
３色ＬＥＤライト５１０は、上述した図５のＬＥＤライト５１０として、払込票８００の表面と向かい合うように設けられており、払込票８００の表面に各色の光を照射する。３色ＬＥＤライト５１０は、制御部１００により制御され、１ライン型ラインセンサ５００の画像取得のタイミングに合わせて、照射する光の色を切り替えたり、消灯したりすることができる。より具体的には、３色ＬＥＤライト５１０は、赤色光、緑色光及び青色光を順次照射することができ、詳細には、６６０ｎｍ前後の波長を持つ赤色光、５２０ｎｍ前後の波長を持つ緑色光、及び４５０ｎｍ前後の波長を持つ青色光を照射する。従って、上述した１ライン型ラインセンサ５００は、３色ＬＥＤライト５１０によって照射され、払込票８００の表面で反射された光を受光することができ、例えば、３色ＬＥＤライト５１０によって照射される光が、赤色光、緑色光及び青色光の順に切り替わることにより、払込票８００の赤色データ、緑色データ、及び青色データを順次取得することができる。
【０１６９】
詳細には、３色ＬＥＤライト５１０は、図２４のタイミングパターン９２０に示すように、赤色、緑色、青色の光を順次払込票８００に向けて照射する。そして、１ライン型ラインセンサ５００は、赤色、緑色、青色の光の下における払込票８００の３色のデータ（赤色画像、緑色画像及び青色画像）を１ラインごとに順次取得する。さらに、これら３色のデータを合成することにより、払込票８００の表面のカラー画像を取得することができる。
【０１７０】
（レンズ部５０２）
レンズ部５０２は、上述した図５のレンズ部５０２として、１ライン型ラインセンサ５００と払込票８００との間に設けられ、例えば、ロッドレンズアレイ又はセルフォック（登録商標）レンズアレイからなる。ロッドレンズアレイ又はセルフォックレンズアレイは、屈折率分布型レンズを複数個配列させることにより形成される。払込票８００の像は、当該レンズ部５０２によって、１ライン型ラインセンサ５００の複数の撮像素子の受光面に投影される。
【０１７１】
本実施形態においては、３色ＬＥＤライト５１０により、赤色光、緑色光及び青色光を順次照射することで、払込票８００のカラー画像を取得することができる。さらに、本実施形態においては、第４の実施形態と同様に、各画素の赤色、青色、緑色の各色のデータを照射する光の色の順番に従って並び替えて、黒色データに変換することにより、カラー画像に比べて副走査方向に３倍の画素数を持つと仮定することができる高解像度（例えば、６００ｄｐｉ）のモノクロ画像を取得することができる。
【０１７２】
＜＜第６の実施形態＞＞
上述の第４及び第５の実施形態においては、払込票８００のカラー画像を取得した後に、カラー画像を変換してモノクロ画像を取得していたが、本発明の実施形態においてはこれに限定されるものではなく、異なるタイミングで変換を行ってもよい。そこで、以下に、異なる変換タイミングを持つ実施形態を、本発明の第６の実施形態として説明する。
【０１７３】
なお、本実施形態においては、スキャナ部１２６の構成については、第５の実施形態と同様であるため、ここでは説明を省略する。
【０１７４】
＜ステップＳ４０１の詳細＞
次に、図２５を参照して、本実施形態における、図１９のステップＳ４０１の画像取得の詳細を説明する。図２５は、図１９のステップＳ４０１における画像取得の一例を示すフローチャートである。本実施形態においては、ステップＳ４０１は、図２５に示すように、ステップＳ６４１からステップＳ６５３までの複数のステップを含むことができる。以下に、これら各ステップの詳細を説明する。
【０１７５】
〜ステップＳ６４１〜
まずは、払込票処理装置１０ａは、赤色光、緑色光及び青色光を順次照射し、１ラインごとに各色のデータを取得する。
【０１７６】
〜ステップＳ６４３〜
払込票処理装置１０ａは、１ラインの各色のデータをカラー画像用のデータとして、保存する。
【０１７７】
〜ステップＳ６４５〜
払込票処理装置１０ａは、１ラインの各色のデータを、並び替えて、黒色データに変換する。当該ステップＳ６４５におけるデータの変換は、１ラインのデータを変換する点を除けば、第５の実施形態の変換と同様に行われる。
【０１７８】
〜ステップＳ６４７〜
払込票処理装置１０ａは、ステップＳ６４５で得られたデータを、モノクロ画像用のデータとして、保存する。
【０１７９】
〜ステップＳ６４９〜
払込票処理装置１０ａは、払込票８００の最後のラインまで撮影したかを確認する。例えば、払込票処理装置１０ａは、スキャナ部１２６の周囲に設けられた検知部１３６により、払込票８００の最後のラインまで撮影したかを確認することができる。そして、最後のラインまで撮影したと判断される場合には、払込票処理装置１０ａは、後述するステップＳ６５１及びステップＳ６５３へ進む。一方、最後のラインまで撮影していない判断される場合には、払込票処理装置１０ａは、上述のステップＳ６４１へ戻る。すなわち、本実施形態においては、ラインごとのデータの取得及び変換を、最後のラインに到達するまで繰り返し行うこととなる。
【０１８０】
〜ステップＳ６５１〜
払込票処理装置１０ａは、これまで保存したカラー画像用データを用いて、払込票８００のカラー画像を合成し、保存する。
【０１８１】
〜ステップＳ６５３〜
払込票処理装置１０ａは、これまで保存したモノクロ画像用データを用いて、払込票８００のモノクロ画像を合成し、保存する。
【０１８２】
以上のように、本実施形態においても、変換のタイミングが異なっていても、罫線等を抽出するための低解像度のカラー画像を取得しつつ、取引情報を抽出するための高解像度のモノクロ画像の取得も同時に行うことができる。その結果、本実施形態によれば、画像の取得回数を減らし、画像の取得回数を減らし、収納代行業務にかかる時間が長くなることをより抑えることができる。
【０１８３】
＜＜まとめ＞＞
以上のように、本発明の各実施形態においては、フォーマット情報が存在しない払込票８００が挿入された場合であっても、新たにフォーマット情報を生成することができる。従って、本実施形態によれば、この後、払込票処理装置１０に同様の形態等を持つ払込票８００が新たに挿入された際には、自動で収納代行業務を行うことができる。加えて、これら実施形態によれば、様々な形態を持つ払込票のすべてを払込票処理装置で受け付けることができることから、店舗等では、店員の払込票処理にかかる作業を軽減するために払込票処理装置を導入する導入効果を得ることができる。さらに、これら実施形態によれば、多くの手間を省きつつ、膨大な量のフォーマット情報を収集し、データベースを構築することができる。
【０１８４】
なお、上述した本発明の各実施形態においては、上述したような払込票８００の取扱いに対しての適用に限定されるものではなく、小切手、商品券、有価証券、通帳、チケット等の紙状媒体の取扱いであれば、特に限定されるものはなく、適用することができる。
【０１８５】
＜＜補足＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１８６】
また、上述した本発明の実施形態の収納代行業務における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理方法についても、必ずしも記載された方法に沿って処理されなくてもよく、例えば、他の機能部によって他の方法によって処理されていてもよい。
【符号の説明】
【０１８７】
１    払込票処理システム
１０、１０ａ    払込票処理装置
２０    センタサーバ
３０    ＰＯＳ端末
６０    通信網
１００、３１６    制御部
１０２    電源部
１０４、３１４    記憶部
１０６、３１８    通信部
１０８    紙幣処理部
１１０    硬貨処理部
１１２    操作表示部
１２０    機構部
１２２    挿入部
１２４、１２４ａ、１２４ｂ    搬送部
１２６    スキャナ部
１２８    記録部
１３０    カッタ部
１３２、１３２ａ、１３２ｂ、１３２ｃ、１３２ｄ    一時保留部
１３４    回収部
１３６、１３６ａ、１３６ｂ、１３６ｃ、１３６ｄ、１３６ｅ    検知部
１３８、１３８ａ、１３８ｂ、１３８ｃ、１３８ｄ    ローラ
１４０    ブレード
１５０    情報照会部
１５２    情報生成部
１５４    画像変換部
３０２    現金処理部
３０４    表示部
３０６    プリンタ部
３０８    ハンディスキャナ
３１０    操作部
５００    ラインセンサ
５０２    レンズ部
５１０    ＬＥＤライト
７００    表示画面
７０６、７０８    ボタン
８００    払込票
８０４    払込取扱票
８０６    店舗控え
８０８    受領証
８１０、８１４、８１６    領収印領域
８１２    データコード領域
９２０    タイミングパターン
【図１】
2020035319.tif 000003
【図２】
2020035319.tif 000004
【図３】
2020035319.tif 000005
【図４】
2020035319.tif 000006
【図５】
2020035319.tif 000007
【図６】
2020035319.tif 000008
【図７】
2020035319.tif 000009
【図８】
2020035319.tif 000010
【図９】
2020035319.tif 000011
【図１０】
2020035319.tif 000012
【図１１】
2020035319.tif 000013
【図１２】
2020035319.tif 000014
【図１３】
2020035319.tif 000015
【図１４】
2020035319.tif 000016
【図１５】
2020035319.tif 000017
【図１６】
2020035319.tif 000018
【図１７】
2020035319.tif 000019
【図１８】
2020035319.tif 000020
【図１９】
2020035319.tif 000021
【図２０】
2020035319.tif 000022
【図２１】
2020035319.tif 000023
【図２２】
2020035319.tif 000024
【図２３】
2020035319.tif 000025
【図２４】
2020035319.tif 000026
【図２５】
2020035319.tif 000027
【図２６】
2020035319.tif 000028